(57)【要約】【課題】簡単な構造改革でもって、既存の手帳を簡単に着脱自在としながら、安定良く卓上型のカレンダーとして利用できるものを、紙製の安価に製造できるスタンドを用いて提供できるようにすること。【解決手段】コイル型綴じ具（４）により月捲り可能に手帳（１）を構成したカンダー兼用手帳。一枚の厚紙の長手方向の中央部を折り曲げ自在に構成し、折り曲げにより形成される折り曲げ頂部に厚紙の幅方向において、少なくとも２箇所に切り欠き部を形成し、前記厚紙の折り曲げによるスタンド完成時の前記切り欠き部に前記手帳を嵌め込むようにした。【選択図】図１
2020040370.tif 000002
【特許請求の範囲】
【請求項１】
複数枚のマンスリーカレンダーの一側縁にコイル型綴じ具（４）を設け、該コイル型綴じ具（４）により月捲り可能に手帳（１）を構成したカンダー兼用手帳であって、
一枚の厚紙（２Ａ）の長手方向の中央部を折り曲げ自在に構成し、折り曲げにより形成される折り曲げ頂部に厚紙（２Ａ）の幅方向において、少なくとも２箇所に切り欠き部（３）（３）を形成し、前記厚紙（２Ａ）の折り曲げによるスタンド（２）完成時の前記切り欠き部（３）（３）に前記手帳（１）を嵌め込むようにしたカンダー兼用手帳。
【請求項２】
前記コイル型綴じ具（４）が、前記切り欠き部（３）にそのコイル型綴じ具（４）のコイル（４Ａ）の周部が前記切り欠き部（３）の周縁に接当保持されるように構成されていることを特徴とする請求項１に記載のンダー兼用手帳。
【請求項３】
前記厚紙（２Ａ）は、両端部が所定の長さで反対方向に互いに重なるように折り曲げられ、各折曲げ片（５Ａ）（５Ｂ）には、その一方（５Ａ）に係合舌片（６）（６）が折り曲げ可能に切り込みされ、その他方（５Ｂ）には、前記舌片（６）（６）に係合され切り欠き（７）（７）が形成され、以て、折り曲げによりスタンドが形成される際に、三角柱が形成されるように構成されていることを特徴とする請求項１又は請求項２に記載のカンダー兼用手帳。
【発明の詳細な説明】
【発明の詳細な説明】
【技術分野】
【０００１】  本発明は、カレンダーとしての機能をもちながら手帳としても用い得るカレンダー兼用手帳に関する。
【背景技術】
【０００２】  最近において、手帳フォ−マットとしては、マンスリーが主流となっている。即ち、大まかなスケジュール管理は、マンスリーで行い、タイムマネジメントを含めた細かなスケジュール管理は、スマートフォンの機能に委ねるというものである。しかし、開くだけでスケジュールが一目瞭然の手帳の利点は得難いもので、大まかなスケジュール管理はやはり手帳を利用するのが便利であると考える人は多い。【０００３】  このような考えの下に、卓上カレンダーと兼用できる手帳が提案されている。例えば、薄型のマンスリー手帳を卓上カレンダーのようにデスクの上に立てておくようにするというものである。このようにカレンダーとして利用しながら、手帳としてスケジュール管理に利用できれば非常に便利であり、常時目につく卓上に設置しておけば、一目瞭然となって有用である。【０００４】  こうしたカレンダー機能を有しながら手帳としても使用できるものは、例えば、次に挙げるものが提案されている。
【先行技術文献】
【特許文献１】特開２０１７−１７７７１１
【発明の概要】
【発明が解決しようとする課題】
【０００５】  上記特許文献１に開示の技術は、カレンダー機能を利用できる卓上カレンダーの形態を採るものであるが、構成要素は、スタンド相当部品と、このスタンドに載置されるカレンダー本体とからなる。従って、カレンダー本体は、スタンドから取り外して携帯出来るという点において、手帳としも利用できる利点を具えているものではある。【０００６】  然し乍ら、カレンダー本体をスタンドに載置した状態で、カレンダーへのメモ書きを行うことも多々あるもので、こうした際には、カレンダー本体が比較的安定よくスタンドに載置されている必要があり、また、マンスリーとしてのカレンダーの月めくりも安定良く行い得るようにしなければならない。これまでの全体構造は、上記引用文献の図２に示されているごとき一枚板（一枚故に強度のある樹脂製）が用いられ、スタンドの上縁に形成した凹部にカレンダーのコイル型綴じ具が嵌め込まれる形態が採用されていた。【０００７】  このようにスタンド本体が樹脂成型であると、コストも高くつくと共にスタンド自体を広告媒体として何等かの印刷を行う場合にも、通常のプリンターを使用することは出来ないもので、特殊な機器を用いねばならず、簡便に広告を取り換えることできない。そして、上述した如きスタンド上縁の凹部では、カレンダーのコイル型綴じ具は安定良く止めきれないもので、立て掛けた状態でメモ書きを書き込もうとした際に凹部からコイル型綴じ具が外れてしまう恐れが生じた。
本発明は、簡単な構造改革でもって、既存の手帳を簡単に着脱自在としながら、安定良く卓上型のカレンダーとして利用できるものを、紙製の安価に製造できるスタンドを用いて提供できるようにすることを目的とする。
【課題を解決するための手段】
【０００８】  本発明は、上記問題点に鑑み、複数枚のマンスリーカレンダーの一側縁にコイル型綴じ具（４）を設け、該コイル型綴じ具（４）により月捲り可能に手帳（１）を構成したカンダー兼用手帳であって、
一枚の厚紙（２Ａ）の長手方向の中央部を折り曲げ自在に構成し、折り曲げにより形成される折り曲げ頂部に厚紙（２Ａ）の幅方向において、少なくとも２箇所に切り欠き部（３）（３）を形成し、前記厚紙（２Ａ）の折り曲げによるスタンド完成時の前記切り欠き部（３）（３）に前記手帳（１）を嵌め込むようにした、という手段を講じたものである。
本発明では、マンスリーカレンダーとしては、１２枚、一年を予定したものが予定されているが、カレンダーの枚数としての制限はないものである。
尚、請求項１における一側縁とは、この実施例では組み立て時において矩形のカレンダーの上辺となる側を言う。
【発明の効果】
【０００９】  本発明は、紙製で安価に提供できるものでありながら、手帳部分をスタンドから簡単に取り外して手帳として携帯できると共にスタンドに載置した状態ではカレンダー機能を利用できて便利に使用でき、また、手帳部分がコイル型綴じ具を、スタンドの折り曲げ頂部に形成される凹部に、その周部に接当して保持させているので、安定よく保持されることになり、スタンドに載置した状態でも安定良く書き込み作業が行い得るのであり、この際に、スタンドが厚紙の折り曲げで三角柱を形成する形状であるので、垂直でなく傾斜角度あることで、書き込み時に容易にペンを走らせることもできる。本発明にかかるその他の利点は、以下の実施例の説明から明らかになろう。
【図面の簡単な説明】
【００１０】
【図１】本発明のカレンダーの卓上スタンドとしての使用状態を示す斜視図。
【図２】本発明のカレンダーの手帳としての使用状態を示す正面図。
【図３】本発明のカレンダーの卓上スタンドの展開図。
【図４】本発明のカレンダーの卓上スタンドの組み立て状態の斜視図。
【図５】本発明の図１におけるＡ−Ａ線矢視断面図。
【発明を実施するための形態】
【実施例】
【００１１】  本発明にかかるカンダー兼用手帳の好適実施例について、図面を参照して以下に説明する。
図１に示すように、本発明の手帳は、スタンド２にカレンダー手帳１を載置して用いられる。ここでは、複数枚のマンスリーカレンダーの一側縁にコイル型綴じ具４を設け、該コイル型綴じ具４により月捲り可能に手帳１を構成している。こうした手帳は、既存のものとしても応用できる。【００１２】  ここでは、一枚の厚紙２Ａの長手方向（ここでは、４６９ｍｍ）の中央部（２３４．５ｍｍ）を折り曲げ自在に構成し、折り曲げにより形成される折り曲げ頂部に厚紙２Ａの幅方向において、所要の間隔を隔てて、  少なくとも２箇所に切り欠き部３，３（長さ４２ｍｍ、幅１５ｍｍ）を形成し、前記厚紙２Ａの折り曲げによるスタンド完成時の前記切り欠き部３，３に前記手帳１を嵌め込むようにした構成としている。従って、コイル型綴じ具４は、前記切り欠き部３に、そのコイル円弧部が嵌まり込み、その切り欠き部３の周部で保持される格好となるのである。これによって、手帳１は、安定良くスタンド２に保持されることになる。【００１３】  そして、コイル型綴じ具４が、前記切り欠き部３にそのコイル型綴じ具４のコイル４Ａの周部が前記切り欠き部３の周縁に接当保持されるように構成されている。また、前記厚紙２Ａは、両端部が所定の長さ（７８ｍｍ）で反対方向に互いに重なるように折り曲げられ、各折曲げ片５Ａ，５Ｂには、その一方５Ａに係合舌片６，６が折り曲げ可能に切り込みされ、その他方５Ｂには、前記舌片６，６に係合され切り欠き７，７が形成され、以て、折り曲げによりスタンドが形成される際に、全体としては、図１にみられるように、三角柱が形成されるように構成されている。【００１４】  卓上型として使用される場合には、前記手帳１は、スタンド２に載置される場合には、所要の月捲りをして、スタンド２の三角柱を跨ぐようにして、前記コイル型綴じ具４が、前記凹部３に嵌め込まれることになる。
そして、携帯手帳１として使用する場合には、該手帳１を持ち上げ、前記凹部３からコイル型綴じ具４を外して、フリーな状態として使用することになる。
【産業上の利用可能性】
【００１５】  本発明は、既存のカレンダー型の手帳と用いて、卓上型カカレンダーとして利用できながら、スタンドから外して、手帳として携帯して利用でき、その応用範囲は広い。
【符号の説明】
【００１６】１：手帳
２：スタンド
２Ａ：厚紙
３：切り欠き
４：コイル型綴じ具
４Ａ：コイル
５Ａ：折曲げ片
５Ｂ：折曲げ片
６：舌片
７：切り欠き
【図１】
2020040370.tif 000003
【図２】
2020040370.tif 000004
【図３】
2020040370.tif 000005
【図４】
2020040370.tif 000006
【図５】
2020040370.tif 000007